(57)【要約】  【課題】  シートが収納された包装袋の開口部からシートを取出す際、シートの前方端部側を抓んで取出すことができ、シートをその形状が崩れることなく取出せる包装袋を提供する。  【解決手段】  非透気性フィルムで形成された積層シート２０の収納用袋主体２であって前記袋主体２の天面の前方部から中央側にかけて開口部１６を形成した袋主体２と、前記開口部１６を覆って天面に粘着剤で着脱自在に貼着した開口部開閉用粘着シート２６とを有する包装袋であって、前記積層シート２０の前方端部２２よりも前方に開口部１６の前方開口端部２４を形成させる。  【選択図】  図１
2005162252.tif 000002
【特許請求の範囲】
【請求項１】
非透気性フィルムで形成された積層シートの収納用袋主体であって前記袋主体の天面の前方部から中央側にかけて開口部を形成した袋主体と、前記開口部を覆って天面に粘着剤で着脱自在に貼着した開口部開閉用粘着シートとを有する包装袋であって、前記積層シートの前方端部よりも前方に開口部の前方開口端部が形成されてなる包装袋。
【請求項２】
包装袋内に収納された積層シートの前方にシート係止部を有する請求項１に記載の包装袋。
【請求項３】
袋主体が、縦シール部長手方向の両端側の各側面を内側に折り曲げたガゼット型である請求項１に記載の包装袋。
【請求項４】
袋主体が、縦シール部長手方向の両端側の各側面を内側に折り曲げないピロー型である請求項１に記載の包装袋。
【発明の詳細な説明】
【技術分野】
【０００１】
本発明は、積層されたシートを収納する包装袋に関する。更に詳述すれば、積層・収納されたウェットティッシュ、不織布シート、織布シート、紙シート等のシートを形を崩すことなく包装袋から取り出すことができる開口部を設けたシート包装袋に関する。
【背景技術】
【０００２】
積層されたシートが収納された包装袋は、例えばティッシュペーパーの包装袋として広く利用されている。これらの包装袋では、ティッシュペーパーを１枚ずつ順次取出せるものが種々提案されている(特許文献１、特許文献２)。
【０００３】
しかしながら、これら提案の包装袋は、開口部からシートを取出す際、シートの略(ほぼ)中央部を抓んで取出すことになるため、特に取出し時の変形が回復しにくいウェットティッシュ等のシートの場合、くしゃくしゃに形が崩れて取出されてしまい、使用上不具合を生ずる。
【特許文献１】特開平６−４８４７５号公報 （特許請求の範囲）
【特許文献２】特開平６−２９３３６８号公報 （特許請求の範囲）
【発明の開示】
【発明が解決しようとする課題】
【０００４】
本発明者は、上記問題について鋭意検討しているうち、袋主体の天面の前方部から中央側にかけてシート取出し用の開口部を形成させ、この開口部の前方開口端部がシートの前方端部よりも前方に位置させることにより、開口部からシートを取出す際、シートの前方端部側をシート面方向に抓んで取出すことができ、シートの形状が崩れることなく(シートが四つ折などの折られた状態で包装袋に収納されている場合は、折られた状態のまま)取出せることを知得し、本発明を完成するに到った。
【０００５】
従って、本発明の目的とするところは、上述した問題点を解決した包装袋を提供することにある。
【課題を解決するための手段】
【０００６】
上記目的を達成する本発明は、以下に記載するものである。
【０００７】
〔１〕  非透気性フィルムで形成された積層シートの収納用袋主体であって前記袋主体の天面の前方部から中央側にかけて開口部を形成した袋主体と、前記開口部を覆って天面に粘着剤で着脱自在に貼着した開口部開閉用粘着シートとを有する包装袋であって、前記積層シートの前方端部よりも前方に開口部の前方開口端部が形成されてなる包装袋。
【０００８】
〔２〕  包装袋内に収納された積層シートの前方にシート係止部を有する〔１〕に記載の包装袋。
【０００９】
〔３〕  袋主体が、縦シール部長手方向の両端側の各側面を内側に折り曲げたガゼット型である〔１〕に記載の包装袋。
【００１０】
〔４〕  袋主体が、縦シール部長手方向の両端側の各側面を内側に折り曲げないピロー型である〔１〕に記載の包装袋。
【発明の効果】
【００１１】
本発明の包装袋では、袋主体の天面の前方部から中央側にかけてシート取出し用の開口部を形成させ、この開口部の前方開口端部をシートの前方端部よりも前方に位置させているので、包装袋内に収納されたシートは、その前方端部側を抓んで取出すことができる。その取出しの際シートは、その形状が崩れることがなく、シートが四つ折などの折られた状態で包装袋に収納されている場合は、折られた状態のまま取出すことができる。なお、包装袋内に収納されたシートの折り形状は制限されるものではなく、いかなる形状に折られたシートにも対応できる。
【００１２】
また、包装袋内に収納されたシートの残り枚数が少なくなっても、袋主体の両端部側のシール部を引張ることにより、不使用時には、シート取出し用の開口部は袋主体天面と開口部開閉用粘着シートとで確実にシールでき、使用時には、最後の１枚までシートの形状を崩すことなく取出すことができる。
【発明を実施するための最良の形態】
【００１３】
以下、図面を参照して本発明を詳細に説明する。
【００１４】
図１は本発明の包装袋の一例を示す概略図であって、(Ａ)は平面図を、(Ｂ)は側面図を、(Ｃ)は底面図を示す。図２は、断面部分が図１(Ａ)におけるII〜II断面に相当する断面部分である側面断面図を示す概略図である。
【００１５】
図１(Ａ)〜(Ｃ)及び図２において２は袋主体であり、図１(Ｃ)に示すようにポリエチレンテレフタレート／Ａｌ／ポリエチレンラミネートフィルム等の非透気性のフィルムからなる矩形シートを折り曲げてその両端側を互いに固着して縦シール部４が形成されている。６は袋主体底面である。この袋主体２は、縦シール部４のシール方向(長手方向)の両端側の各側面８ａ、８ｂを内側に折り曲げてシール方向両端側がシールされ、これにより両端シール部１０ａ、１０ｂが形成されて、図１(Ｂ)に示すように所謂ガゼット型の袋形状にされる。
【００１６】
袋主体の天面においては、前方部から中央側にかけて開口部が形成される。即ち、図１(Ａ)〜(Ｂ)及び図２では、袋主体２の天面の前方部１２から天面の水平部１４にかけて開口部１６がミシン目により形成されている。
【００１７】
上記開口部１６の上面には、開口部開閉用粘着シート２６が、開口部１６全体を覆って貼付けられている。なお、３４は抓み部で、この部分は粘着剤が塗布されていない。
【００１８】
以上の開口部開閉用粘着シート２６と袋主体２とからなる本例の包装袋内には、積層シート２０が収納されている(図２)。前記積層シート２０の前方端部２２よりも前方に、前記開口部１６の前方端部２４が位置している。包装袋内に収納された積層シート２０の前方端部２２と、シート取出し用の開口部１６における前方端部２４との間隔Ｘは、３ｍｍ以上、好ましくは１５〜２５ｍｍである。この間隔Ｘが３ｍｍ未満の場合は、開口部１６からシート２０を取出す際、シート２０の前方端部２２を抓みにくくなるので好ましくない。
【００１９】
３６はシート係止部である。このシート係止部３６は、シート２０の前方端部２２付近において側面８ａ、８ｂを内側に折曲げた部分の一部を接着することによって形成してある。
【００２０】
この包装袋からシート２０を図１(Ａ)〜(Ｃ)及び図２の例において取出す場合は、先ず抓み部３４を抓み、これを開口部１６上方に引張る。なお、抓み部３４を引張る前は、開口部１６はミシン目により袋主体２の天面に繋がっている。
【００２１】
そこで、抓み部３４を引張ることにより、開口部開閉用粘着シート２６に粘着している開口部１６が天面のミシン目で切断され、開口部１６が開く。開口部１６が開いた後の周縁部１８の内側は、包装袋内に収納されたシート２０を取出すための取出し口となる。
【００２２】
この取出し口からシート２０の面に沿ってシートを袋主体２外部に引出す。これによりシート２０は形状を崩すことなく取出せる。シート２０の取出し後は、開口部開閉用粘着シート２６を天面に再粘着させる。
【００２３】
本例の包装袋において、上面と下面との間隔は、上面が天面の水平部２２で下面が底面６の水平部のとき最大であり、シート２０の前方端部２２より前方に行くにつれて上面と下面との間隔は徐々に狭くなる。この本例包装袋の構造からシート２０は前方端部２２より前方には、ずれにくくなっている。更に、シート係止部３６を形成しているので、シート２０は前方にずれないようになっている。
【００２４】
なお、積層シートとしては、ウェットティッシュ、不織布シート、織布シート、紙シート等のシートが使用できる。これらのシートにうちでも、取出し時の変形が回復しにくいウェットティッシュに用いる場合、本例の包装袋は特に有効である。また、非透気性フィルムは特に制限なく、任意のフィルムが使用できる。
【００２５】
図３は、本発明の包装袋の他の例を示す概略側面図である。図３の例の包装袋のように、袋主体４２の形状は、縦シール部長手方向の両端側の各側面４４ａ、４４ｂを内側に折り曲げない所謂ピロー型としても良い。側面４４ａ、４４ｂ以外の包装袋の構造は、図１〜２の例の包装袋の構造と同様である。
【図面の簡単な説明】
【００２６】
【図１】本発明の包装袋の一例を示す概略図であって、(Ａ)は平面図を、(Ｂ)は側面図を、(Ｃ)は底面図を示す。
【図２】断面部分が図１(Ａ)におけるII〜II断面に相当する断面部分である側面断面図を示す概略図である。
【図３】本発明の包装袋の他の例を示す概略側面図である。
【符号の説明】
【００２７】
２    袋主体
４    袋主体底面の縦シール部
６    袋主体底面
８ａ、８ｂ    袋主体底面の縦シール部における長手方向の両端側の側面
１０ａ、１０ｂ    袋主体の両端シール部
１２    袋主体天面の前方部
１４    袋主体天面の水平部
１６    シート取出し用の開口部
１８    開口部の周縁部
２０    包装袋内に収納されたシート
２２    包装袋内に収納されたシートの前方端部
２４    シート取出し用の開口部における前方端部
２６    開口部開閉用粘着シート
３４    開口部開閉用シートの前方端部側の抓み部
３６    シート係止部
４２    袋主体
４４ａ、４４ｂ    袋主体底面の縦シール部における長手方向の両端側の側面
Ｘ    包装袋内に収納された積層シートの前方端部と、シート取出し用の開口部における前方端部との間隔
【図１】
2005162252.tif 000003
【図２】
2005162252.tif 000004
【図３】
2005162252.tif 000005